(57)【要約】      （修正有）【課題】足のさまざまな動きに対し、ミッドソールが土踏まず部が捻れて生じる靴底の変形を極力低減し、足裏に対する靴底のフイット性を良好に保つことができて靴を提供する。【解決手段】アウトソール５と中敷き４の間にミッドソール３を配装した靴底構造において、ミッドソール３の土踏まず部９に、面的拡がりのある硬質の補強体１１を配装した。【選択図】図１
0003102375.tif 000002
【実用新案登録請求の範囲】
【請求項１】
アウトソールと中敷きの間にミッドソールを配装した靴底構造において、ミッドソールの土踏まず部に、面的拡がりのある硬質の補強体を配装したことを特徴とする靴底構造。
【請求項２】
土踏まず部に補強体嵌装孔を設け、該補強体嵌装孔に、土踏まず部より薄目の補強体を嵌着して上面をミッドソール面と面一にしたことを特徴とする請求項１記載の靴底構造。
【請求項３】
補強体周りに水平フランジを突設し、該水平フランジを補強体嵌装孔周りに形成した断落ち部に係合させて補強体上面とミッドソール面を面一にしたことを特徴とする請求項１又は２記載の靴底構造。
【請求項４】
補強体を前後方向に細長く形成し、前後両縁を外向きにくの字状に屈曲させ、且つ、前部から後部に掛けて横方向への拡がりを漸進的に小さくして前後両縁端をテーパ状の左右側縁で結合したことを特徴とする請求項１〜３のいずれか１項に記載の靴底構造。
【請求項５】
ミッドソールの踵部に、踵部両側から後部に掛けて、周縁沿いに一定幅を採ってその内側に緩衝体嵌装凹部を設け、該緩衝体嵌装凹部に、ミッドソールより緩衝性の高い緩衝体を嵌装したことを特徴とする請求項１又は２記載の靴底構造。
【請求項６】
ミッドソールと緩衝体を密度の異なる軟質のＥＶＡ発泡体で形成したことを特徴とする請求項１又は５記載の靴底構造。
【考案の詳細な説明】
【技術分野】
【０００１】
本考案は、運動するのに用いられる運動靴やゴルフシューズ、また、一般に履かれるビジネスシューズやカジアルシューズ等において、足に対する靴底のフィット性と緩衝性を高めた靴底構造に関するものである。
【背景技術】
【０００２】
運動靴、ゴルフシューズ、スパイク等の主として運動するのに用いられる靴に限らず、ビジネスシューズやカジアルシューズ等の一般に履かれる靴においても、靴底の衝撃吸収の重要性が認識され、靴底の緩衝性を高めて長時間の履用でも足が疲れないように工夫された靴が多く出回っている。
【０００３】
従来のこの種の靴で、緩衝性を高める靴底構造として、ミッドソールをＥＶＡ発泡体で形成した靴がある。この靴のミッドソールは、踵部を比較的分厚くして踵部における衝撃吸収に主眼を置いたものが多く、ミッドソールの緩衝性をより効果的に高める上から、ミッドソール下面に接着されるアウトソールに、スポンジ等の弾性の大きな材質のものを用い、ミッドソールとアウトソールの両方の弾性による緩衝性が相乗的に得られるようにした靴底構造もある。
【０００４】
このような靴底構造によれば、歩行したり、或いは走行したりする時に、足裏からミッドソールに掛かる荷重で、ミッドソールの踵部は特に大きな荷重を受けて大きく圧縮されるが、このミッドソールに圧縮力として加わる荷重がアウトソールにも同時に伝達されて両方の弾性による緩衝性が相乗的に作用して衝撃を吸収するので、足が地面につく時の痛さや衝撃による疲労を緩和するもので、ミッドソールの具体的構造は、踵部を分厚くして爪先部に掛けて厚みを漸進的に薄くして足形にできている。
【０００５】
しかし、前記するように、ミッドソールがＥＶＡ発泡体からなる靴を履いて実際に行動する場合、ミッドソールに対する足裏からの荷重の掛かり具合は、地面の凹凸や傾斜等によっても影響を受けるが、普通には、土踏まず部のところには荷重はほとんど掛からず、大部分の荷重は、土踏まず部から前後に分かれてミッドソールの踏付け部と踵部に掛かるようになる。
【０００６】
従って、踵部を分厚くして爪先部に掛けて厚みを漸進的に薄くしたミッドソールの場合は、足が地面についてミッドソールに荷重が掛けられた状態で、次ぎの足の動きでミッドソールに偏った荷重が掛けられると、ミッドソールが土踏まず部のところから水平方向に捻れて変形するようになるので、このミッドソールの捻れが靴底の変形となって現れ、足裏に対する靴底のフイット性が損なわれ、靴と足の一体感が得られず、スムーズに且つ素早く次ぎの動きに移ることができないようなことが起きる。
【考案の開示】
【考案が解決しようとする課題】
【０００７】
そこで、本考案は、このような状況に鑑みてなされたものであって、足が地面についた状態からの足のさまざまな動きに対し、ミッドソールが土踏まず部が捻れて生じる靴底の変形を極力低減するようにし、足裏に対する靴底のフイット性を良好に保つことができて靴と足の一体感を得て、スムーズに且つ素早く次ぎの動きに移ることができる靴底構造を提供することを目的としたものである。
【課題を解決するための手段】
【０００８】
上記の目的を達成するために、本考案に係る靴底構造は、アウトソールと中敷きの間にミッドソールを配装した靴底構造において、ミッドソールの土踏まず部に、面的拡がりのある硬質の補強体を配装したことを特徴とする。
【０００９】
このように構成した本考案の靴底構造によれば、ミッドソールの土踏まず部に硬質の補強体を配装したことにより土踏まず部の剛性が高められるので、足のさまざまな動きにおいて、足裏からミッドソールに偏った荷重が掛けられることがあっても、ミッドソールが土踏まず部からの捻れを生じて靴底が変形するようなことがないので、足裏に対する靴底のフイット感が損なわれず、靴と足の一体感を得て、スムーズに且つ素早く次ぎの動きに移ることができる。
【００１０】
前記構成において、ミッドソールの土踏まず部に補強体を配装するに当たって、土踏まず部に補強体嵌装孔を設け、該補強体嵌装孔に、土踏まず部より薄目の補強体を嵌着して上面をミッドソール面と面一にした構成にすると、ミッドソールに対する補強体の組み付け作業を簡素化できて、製作面から作業性を向上できる。
【００１１】
本考案において、ミッドソールの土踏まず部が水平方向に捻れて生じる靴底の変形は、ミッドソールに設けた補強体嵌装孔縁部が補強体回りに凹凸を生じて現れる。そこで、補強体周りに水平フランジを突設し、該水平フランジを補強体嵌装孔周りに形成した段落ち部に係合させて補強体上面とミッドソール面を面一にした構成にすると、ミッドソールの土踏まず部が捻れて生じる補強体嵌装孔縁部の凹凸は、補強体の水平フランジによって押え込まれて変形力の早期消滅が図られるので、靴底の変形を阻止する効果を高めることができる。
【００１２】
前記構成において、補強体を前後方向に細長く形成し、前後両縁を外向きにくの字状に屈曲させ、且つ、前部から後部に掛けて横方向への拡がりを漸進的に小さくして前後両縁端をテーパ状の左右側縁で結合した構成にすると、ミッドソールの土踏まず部が捻れて生じる補強体嵌装孔縁部の変形は、面的拡がりのある補強体回りの複数の角部で分散的して受け止められて変形力の消滅が図られるので、変形力は一層の効率良く消滅させることができる。
【００１３】
ところで、ミッドソールの土踏まず部からの捻れは、主に踏付け部側からの偏荷重によって生じる。そこで、ミッドソールの踵部については、ミッドソールの踵部については、土踏まず部に及ぼす偏荷重よりも、むしろ、踵部の緩衝性について重要視される。そこで、ミッドソールの踵部に、踵部両側から後部に掛けて、周縁沿いに一定幅を採ってその内側に緩衝体嵌装凹部を設け、該緩衝体嵌装凹部に、ミッドソールよりも緩衝性の高い緩衝体を嵌装した構成にすると、踵部の緩衝性を高めて靴の履き心地の向上が図られる。
【００１４】
また、本考案において使用される緩衝体の材質については、特に制限はないが、ミッドソールとの適合性及び靴底の軽量化の面等からして、ミッドソールと緩衝体は密度の異なる軟質のＥＶＡ発泡体で熱形成するのが好ましい。
【考案の効果】
【００１５】
以上説明した通り、本考案に係る靴底構造によれば、ミッドソールの土踏まず部に、面的拡がりを有する硬質の補強体を配装したので、土踏まず部の剛性が高められて、ミッドソールの土踏まず部が水平方向に捻れて生じる靴底の変形を軽減するので、靴底の衝撃吸収が重要視される靴において、足裏に対する靴底のフイット性が損なわれず、常に、靴と足の一体感が得られ、スムーズに且つ素早く次ぎの動きに移ることができる。
【考案を実施するための最良の形態】
【００１６】
本考案に係る靴底構造の好ましい実施の形態を添付の図面に基づいて説明する。
【実施例１】
【００１７】
図１は本考案に係る靴底を備えた靴の縦断面図、図２は靴底の分解状態を示す斜視図、図３（ａ）、（ｂ）、（ｃ）は補強体の側面図と平面図とａ−ａ線断面図である。
【００１８】
図において、靴底１は、甲被２にミッドソール３を接着し、ミッドソール３にはアウトソール５を接着し、甲被２内に中敷き４を挿入してこれをミッドソール３上に敷置した構成のものである。
【００１９】
前記ミッドソール３は、足形にＥＶＡ発泡体を熱成形したもので、踵部６を比較的分厚くして爪先部に掛けて漸進的に厚みを薄くし、踏付け部７の両側から踵部６に掛けて甲被２の下縁部を外から覆うサイド部８を設けている。
【００２０】
また、土踏まず部９に補強体嵌装孔１０を設け、この補強体嵌装孔１０に、土踏まず部９より薄目の補強体１１を嵌着して補強体１１上面をミッドソール３面と面一にしている。
【００２１】
実施の形態の補強体嵌装孔１０と補強体１１の形態は、前後方向に細長く、前後両縁をくの字状に外向きに屈曲させ、前部から後部に掛けて横方向への拡がりを漸進的に小さくして前後両縁端をテーパ状の左右側縁で結合して面的拡がり持たせている。
【００２２】
前記補強体１１は、硬質のプラスチックで成形され、補強体嵌装孔１０部のミッドソール３の厚みに比べて１／２程度の厚みを有し、補強体嵌装孔１０には密着状に嵌装されるもので、実施の形態の補強体１１は、嵌装孔１０内に密嵌状に嵌着される外枠部１２と、この外枠部１２内を前後方向に仕切る中枠部１３と、外枠部１２及び中枠部１３の上面を全面的に覆い、外枠部１２周りに水平フランジ１４を突設した座板１５からなり、座板１５面には薄布１６を貼着している。
【００２３】
また、補強体１１は、補強体嵌装孔１０の上半部に収まり、嵌装孔下半部はラッパ口状に断面を下向きに拡大させている。また、ミッドソール３面に開口する補強体嵌装孔１０周りには、補強体１１の水平フランジ１４が係合する段落ち部１７を形成し、この段落ち部１７に補強体１１の水平フランジ１４を係合させて補強体１１上面とミッドソール３面を面一にしている。
【００２４】
前記中敷き４は、ＥＶＡ発泡体を熱成形してなるシート材から足形に裁断したもので、中敷き４の後半部、すなわち、中敷き４の土踏まず部から踵部に掛けては、その周縁から甲被２の下縁部に対して内側から接合されるサイド部１８を立ち上げている。実施の形態では、このサイド部１８は、中敷き４の下面に接着される薄い座板１９から上向き折曲状に立ち上げて中敷き４の縁部に沿わせている。なお、サイド部１８と座板１９は、中敷き４と同じ種類のＥＶＡ発泡体で一体に熱成形したものを使用している。
【００２５】
前記アウトソール５は、ラバー等によって足形に成形され、爪先部には、前記ミッドソール３のサイド部８に連続して甲被２の下縁部を外から覆うサイド部２０を設けており、全体的にはミッドソール３に比べて薄目になっている。また、土踏まず部には、ミッドソール３の補強体嵌装孔１０に対応して開口部２１が設けられ、補強体１１を下から覗き見できるようにしている。
【００２６】
前記構造からなる靴底１を備えた靴を履いて行動する場合、足裏には甲被２内の中敷き４が接して靴内で足は安定する。従って、普通に歩行したり、或いは走行したりする時は、足裏からミッドソール３に掛かる荷重で、主に、ミッドソール３の弾性による衝撃吸収が行われ、足が地面につく時の痛さや衝撃による疲労を緩和する。
【００２７】
また、ミッドソール３の土踏まず部９は硬質の補強体１１を嵌着して剛性を高めているので、足が地面についた状態からの足のさまざまな動きに対して、足裏からミッドソール３に対して偏った荷重が掛かるようなことがあっても、土踏まず部９からミッドソール３が捻れて生じる靴底の変形が軽減される。従って、足と靴のフイット性が良好に保たれ、常に、足と靴の一体感が得られ、スムーズに且つ素早く次ぎの動きに移ることができる。
【００２８】
また、本考案に係る靴底１においては、ミッドソール３の土踏まず部９からの捻れは、ほとんどが踏付け部７側からの偏荷重によって生じ、踵部６についてはその緩衝性が重要視される。そこで、踵部６には、その両側から後部に掛けて、周縁沿いに一定幅を採ってその内側に緩衝体嵌装凹部２２を設け、この緩衝体嵌装凹部２２に合わせて、ミッドソール３とは密度の異なる軟質のＥＶＡ発泡体で形成した緩衝体２３を嵌装して靴の履き心地の向上を図っている。
【産業上の利用可能性】
【００２９】
本考案に係る靴底１は、ミッドソール３に硬質の補強体１１を嵌着するだけの改良で、ミッドソール３が土踏まず部９から捻れて生じる靴底１の変形が軽減され、足と靴のフイット性を良好に保って素早く次ぎの行動に移れるので、特に、運動するのに用いられる靴に適用して有用なものである。
【図面の簡単な説明】
【００３０】
【図１】本考案に係る靴底を備えた靴の縦断面図である。
【図２】靴底の分解状態を示す斜視図である。
【図３】（ａ）、（ｂ）、（ｃ）は補強体の側面図と平面図とａ−ａ線断面図である。
【符号の説明】
【００３１】
１  靴底
２  甲被
３  ミッドソール
４  中敷き
５  アウトソール
６  踵部
７  踏付け部
８  サイド部
９  土踏まず部
１０  補強体嵌装孔
１１  補強体
１２  外枠部
１３  中枠部
１４  水平フランジ
１５  座板
１６  薄布
１７  段落ち部
１８  サイド部
１９  座板
２０  サイド部
２１  開口部
２２  緩衝体嵌装凹部
２３  緩衝体
【図１】
0003102375.tif 000003
【図２】
0003102375.tif 000004
【図３】
0003102375.tif 000005